(57)【要約】【課題】  音量調整のためのボリュームキーの操作性を向上する。【解決手段】  受話音量調整のための２つのボリュームキー３５、３６が、右側面と左側面にそれぞれ１つずつ配置されている。そして、通話中に前記２つのボリュームキー３５、３６のいずれかが押された場合に、受話音量の調整を行うための受話音量調整モードに移行し、受話音量調整モード移行の際に最初に押された一方のボリュームキーが、受話音量を減少させるためのダウンキーとして設定され、他方のボリュームキーが受話音量を増加させるためのアップキーとして設定される。【選択図】図１
2005027255.tif 000002
【特許請求の範囲】
【請求項１】
受話音量調整のための２つのボリュームキーと、
前記ボリュームキーの入力に基づいて受話音量の調整を行う制御手段とを備えた携帯電話機において、
前記受話音量調整のための２つのボリュームキーが、右側面と左側面にそれぞれ１つずつ配置されていることを特徴とする携帯電話機。
【請求項２】
前記制御手段は、通話中に前記２つのボリュームキーのいずれかが押された場合に、受話音量の調整を行うための受話音量調整モードに移行し、前記２つのボリュームキーのうち、受話音量調整モード移行の際に最初に押された一方のボリュームキーを、受話音量を減少させるためのダウンキーとして設定し、他方のボリュームキーを受話音量を増加させるためのアップキーとして設定する請求項１記載の携帯電話機。
【請求項３】
前記制御手段は、通話中に前記２つのボリュームキーのいずれかが押された場合に、受話音量の調整を行うための受話音量調整モードに移行し、前記２つのボリュームキーのうち、受話音量調整モード移行の際に最初に押された一方のボリュームキーを、受話音量を増加させるためのアップキーとして設定し、他方のボリュームキーを受話音量を減少させるためのダウンキーとして設定する請求項１記載の携帯電話機。
【請求項４】
受話音量調整モード移行の際に最初に押された一方のボリュームキーを、受話音量を減少させるためのダウンキーとして設定するか、受話音量を増加させるためのアップキーとして設定するかを変更可能な請求項２または３記載の携帯電話機。
【請求項５】
前記制御手段は、受話音量調整モードに移行した場合に、表示部に現在のボリュームレベルを表示するとともに、どちらのボリュームキーがアップキーに設定され、ダウンキーに設定されているかという配置方向の表示を行う請求項１から４のいずれか１項記載の携帯電話機。
【請求項６】
設定量調整のための２つの操作キーと、
前記操作キーの入力に基づいて設定量の調整を行う制御手段とを備えた携帯電話機において、
前記設定量調整のための２つの操作キーが、右側面と左側面にそれぞれ１つずつ配置されていることを特徴とする携帯電話機。
【請求項７】
前記制御手段は、前記２つの操作キーのいずれかが押された場合に、設定量の調整を行うための設定量調整モードに移行し、前記２つの操作キーのうち、設定量調整モード移行の際に最初に押された一方の操作キーを、設定量を減少させるためのダウンキーとして設定し、他方の操作キーを設定量を増加させるためのアップキーとして設定する請求項６記載の携帯電話機。
【請求項８】
前記制御手段は、前記２つの操作キーのいずれかが押された場合に、設定量の調整を行うための設定量調整モードに移行し、前記２つの操作キーのうち、設定量調整モード移行の際に最初に押された一方の操作キーを、設定量を増加させるためのアップキーとして設定し、他方の操作キーを設定量を減少させるためのダウンキーとして設定する請求項６記載の携帯電話機。
【請求項９】
設定量調整モード移行の際に最初に押された一方の操作キーを、設定量を減少させるためのダウンキーとして設定するか、設定量を増加させるためのアップキーとして設定するかを変更可能な請求項７または８記載の携帯電話機。
【請求項１０】
前記設定量が、着信音量である請求項６から９のいずれか１項記載の携帯電話機。
【請求項１１】
前記設定量が、バイブレータ強度である請求項６から９のいずれか１項記載の携帯電話機。
【請求項１２】
前記設定量が、液晶濃度である請求項６から９のいずれか１項記載の携帯電話機。
【請求項１３】
前記設定量は、液晶表示バックライト光量である請求項６から９のいずれか１項記載の携帯電話機。
【請求項１４】
前記設定量は、送話音量である請求項６から９のいずれか１項記載の携帯電話機。
【請求項１５】
前記制御手段は、設定量調整モードに移行した場合に、表示部に現在の設定レベルを表示するとともに、どちらの操作キーがアップキーに設定され、ダウンキーに設定されているかという配置方向の表示を行う請求項６から１４のいずれか１項記載の携帯電話機。
【発明の詳細な説明】
【技術分野】
【０００１】
本発明は、携帯電話機に関し、特に音量調整等をＵｐ／Ｄｏｗｎキーにより行う携帯電話機に関する。
【背景技術】
【０００２】
一般的に、携帯電話機には、受話音量を調整する機能が設けられているものが多い。また、通話中に音量を調整する機能を備えているものもある。従来の携帯電話機では、通話中に音量を調整することができるように、音量調整用のボリュームキーが電話機本体の側面に設けられいた（例えば、特許文献１〜５参照。）。
【０００３】
このような携帯電話機の簡易ブロック図を図５に示す。
【０００４】
携帯電話機は、図５に示されるように、無線回路１１と、チャネルコーデック１２と、音声回路１３と、制御回路１４と、メモリ回路１５と、表示回路１６と、キーマトリクス１７と、マイク１８と、レシーバ１９と、スピーカ２０とで構成されている。
【０００５】
無線回路１１は、無線送受信のための機能を有していて、無線基地局からの電波を受信して復調することにより音声信号を取り出してチャネルコーデック１２に出力するとともに、チャネルコーデック１２により符号化された音声信号を無線基地局に送信している。
【０００６】
チャネルコーデック１２は、無線回路１１からの音声信号を復号して音声回路１３に出力するとともに、音声回路１３からの音声信号を符号化して無線回路１１に出力している。音声回路１３は、各種音声処理を行っていて、制御回路１４からの指示に従い受話音量の調整を行っている。
【０００７】
キーマトリクス１７は、テンキーや受話音量調整のためのボリュームキー等の各種操作キーが操作されたことを検出するためのものであり、各種操作キーがマトリクス状に接続されている。
【０００８】
このような構成の従来の携帯電話機の斜視図を図６に示す。従来の携帯電話機では、図６に示されるように、前面にレシーバ１９とＬＣＤ表示部２２と、テンキー２３と、マイク１８が配置され、右側面に受話音量を増加させるためのＵｐ（アップ）キー２５と、受話音量を減少させるためのＤｏｗｎ（ダウン）キー２６とからなるボリュームキーが配置されている。Ｕｐキー２５が押されると、制御回路１４は、音声回路１３を制御することにより受話音量を１段階上げる調整を行い、Ｄｏｗｎキー２６が押されると受話音量が１段階下がるような調整を行う。
【０００９】
このようなボリュームキーが電話機本体の側面に設けられている従来の携帯電話機では、通話中に受話音量調整を行おうとする際には手探りでボリュームキーを探すことになるが、ボリュームキーのＵｐ／Ｄｏｗｎキー２５、２６が並んで配置されているため、どちらがＵｐキー２５でどちらがＤｏｗｎキー２６かが分かり難く、Ｕｐキー２５とＤｏｗｎキー２６を誤って操作したり、ボリュームキーを確認するために直接目で見て確認する必要がある場合もある。
【００１０】
また、携帯電話機は、左手で持ったり右手で持ったりする場合があるが、普段は右手持ちで携帯電話機を操作している人が左手持ちで携帯電話機を操作すると操作方法が大幅に変わり操作し難くなって操作性の悪化を招いてしまう。例えば、普段は右手持ちで親指でボリュームキーを操作している場合に、左手持ちに持ち替えると人差し指でボリュームキーを操作することになり、ＵｐキーおよびＤｏｗｎキーの選択が難しくなる。
【特許文献１】特開平７−１３１８４９号公報
【特許文献２】特開平７−１９３６２０号公報
【特許文献３】特開平８−３４０２２８号公報
【特許文献４】特開平９−２６１７４４号公報
【特許文献５】特開平１０−１１２７４３号公報
【発明の開示】
【発明が解決しようとする課題】
【００１１】
上述した従来の携帯電話機では、電話機本体の側面に音量調整のためのボリュームキーが配置されているため下記のような問題点があった。
（１）ＵｐキーおよびＤｏｗｎキーが並んで配置されているため、どちらがＵｐキーでどちらがＤｏｗｎキーであるかが判別し難い。
（２）持ち手を変更した場合に操作方法が変化し操作性が悪化してしまう。
【００１２】
本発明の目的は、音量調整のためのボリュームキーの操作性を向上することのできる携帯電話機を提供することである。
【課題を解決するための手段】
【００１３】
上記目的を達成するために、本発明の携帯電話機は、受話音量調整のための２つのボリュームキーと、
前記ボリュームキーの入力に基づいて受話音量の調整を行う制御手段とを備えた携帯電話機において、
前記受話音量調整のための２つのボリュームキーが、右側面と左側面にそれぞれ１つずつ配置されていることを特徴とする。
【００１４】
本発明によれば、２つのボリュームキーがそれぞれ左側面と右側面に配置されていることにより、左手持ちの場合でも右手持ちの場合でも同じ操作方法となるため、操作性が向上する。
【００１５】
また、本発明の他の携帯電話機では、前記制御手段は、通話中に前記２つのボリュームキーのいずれかが押された場合に、受話音量の調整を行うための受話音量調整モードに移行し、前記２つのボリュームキーのうち、受話音量調整モード移行の際に最初に押された一方のボリュームキーを、受話音量を減少させるためのダウンキーとして設定し、他方のボリュームキーを受話音量を増加させるためのアップキーとして設定するようにしてもよい。
【００１６】
また、本発明の他の携帯電話機では、前記制御手段は、通話中に前記２つのボリュームキーのいずれかが押された場合に、受話音量の調整を行うための受話音量調整モードに移行し、前記２つのボリュームキーのうち、受話音量調整モード移行の際に最初に押された一方のボリュームキーを、受話音量を増加させるためのアップキーとして設定し、他方のボリュームキーを受話音量を減少させるためのダウンキーとして設定するようにしてもよい。
【００１７】
さらに、本発明の他の携帯電話機では、受話音量調整モード移行の際に最初に押された一方のボリュームキーを、受話音量を減少させるためのダウンキーとして設定するか、受話音量を増加させるためのアップキーとして設定するかを変更可能としてもよい。
【００１８】
本発明によれば、受話音量調整モード移行の際に最初に押されたボリュームキーが、アップキーまたはダウンキーのうち予め設定されているほうに割り当てられる事により、どちらのボリュームキーがダウンキーでどちらのボリュームキーがアップキーだったかを考える必要が無くなる。また、この機能により通話中に携帯を持つ手を換えた場合でも最初に押したキーがダウンキーまたはアップキーだと分かるので操作性が向上する。
【００１９】
さらに、本発明の他の携帯電話機では、前記制御手段は、受話音量調整モードに移行した場合に、表示部に現在のボリュームレベルを表示するとともに、どちらのボリュームキーがアップキーに設定され、ダウンキーに設定されているかという配置方向の表示を行うようにしてもよい。
【００２０】
本発明によれば、ボリュームキーが押されて受話音量調整モードに移行した際に、表示部にどちらのボリュームキーがアップキーでどちらのボリュームキーがダウンキーなのかが表示されるため、ユーザは目視によりボリュームキーの割り当てを確認することができより操作性が向上する。
【００２１】
また、本発明の他の携帯電話機では、２つのボリュームキーの替わりに、着信音量、バイブレータ強度、液晶濃度、液晶表示バックライト光量、送話音量等の設定量調整のための２つの操作キーを、右側面と左側面にそれぞれ１つずつ配置されていることを特徴とする。
【発明の効果】
【００２２】
以上説明したように、本発明によれば、下記のような効果を得ることができる。
（１）２つのボリュームキーがそれぞれ左側面と右側面に配置されていることにより、左手持ちの場合でも右手持ちの場合でも同じ操作方法となるため、操作性が向上する。
（２）受話音量調整モード移行の際に最初に押されたボリュームキーが、アップキーまたはダウンキーのうちの予め設定されているほうに割り当てられる事により、どちらのボリュームキーがダウンキーでどちらのボリュームキーがアップキーだったかを考える必要が無くなり操作性が向上する。
【発明を実施するための最良の形態】
【００２３】
次に、本発明の実施の形態について図面を参照して詳細に説明する。
【００２４】
図１は本発明の一実施形態の携帯電話機の斜視図である。図１において、図６中の構成要素と同一の構成要素には同一の符号を付し、説明を省略するものとする。図１（ａ）は、本実施形態の携帯電話機を左方向から見た場合の斜視図であり、図１（ｂ）は右方向から見た斜視図である。
【００２５】
本実施形態の携帯電話機では、受話音量調整のための２つのボリュームキー３５、３６が、電話機本体の左側面と右側面にそれぞれ１つずつ配置されている。そして、この２つのボリュームキー３５、３６は、いずれがＵｐキーまたはＤｏｗｎキーであるかは予め設定されておらず、通話中に最初に操作されたボリュームキーがＤｏｗｎキーとして設定され、他方のボリュームキーがＵｐキーとして設定される。
【００２６】
次に、本実施形態の携帯電話機の動作を図２のフローチャートを参照して詳細に説明する。
【００２７】
まず、通話中に、図１に示したボリュームキー３５および３６のいずれかが押されることにより、受話音量の調整を行うための受話音量調整モードへと移行する（ステップ４１）。
【００２８】
先ず、２つのボリュームキー３５、３６のうちのいずれが押されたのかが判定され（ステップ４２）、受話音量調整モード以降の際に最初に押された一方のボリュームキーは、受話音量を減少させるためのＤｏｗｎキーに割り当てられ、もう一方のボリュームキーは受話音量を増加させるためのＵｐキーに割り当てられる（ステップ４３または４４）。例えば、ＬＣＤ表示部２２を正面に見て右側のボリュームキー３５が最初に押された場合、ボリュームキー３５はＤｏｗｎキーに割り当てられボリュームキー３６はＵｐキーに割り当てられる（ステップ４４）。そして、受話音量調整モードとなったことによりＬＣＤ表示部２２には図３に示すように、現在のボリュームレベルがの表示が行われる（ステップ４５）。
【００２９】
この受話音量調整モードにおいて、ボリュームきー３５、３６のいずれかが押された場合には（ステップ４６）、押されたボリュームキーがＤｏｗｎキーに設定されている場合にはボリュームを1段階下げる処理が行われ（ステップ４７）、押されたボリュームキーがＵｐキーに設定されている場合にはボリュームを1段階上げる処理が行われる（ステップ４８）。
【００３０】
この受話音量調整モードが継続している間は、このボリュームキー３５、３６がＵｐキー、Ｄｏｗｎキーのいずれに割り当てられているかという情報が維持されているが、いずれのボリュームキー３５、３６が操作されなくなってから一定時間を経過してタイムアウトすると（ステップ４９）、受話音量調整モードから抜け出して元のモードに戻り、ボリュームキー３５、３６の割り当ても不定状態（確定されていない状態）に戻る。
【００３１】
本実施形態の携帯電話機によれば、２つのボリュームキー３５、３６をそれぞれ左側面と右側面に配置することにより、左手持ちの場合でも右手持ちの場合でも同じ操作方法となるため、操作性が向上する。また、最初に押されたキーがＤｏｗｎキーに割り当てられる事により、どちらのボリュームキーがＵｐキーだったかを考える必要が無くなる。また、この機能により通話中に携帯を持つ手を換えた場合でも最初に押したキーがＤｏｗｎキーと分かるので操作性が向上する。
【００３２】
尚、本実施形態では、最初に押されたキーをＤｏｗｎキーに割り当てる場合を用いて説明しているが、最初に押されたキーをＵｐキーに割り当てるようにすることも可能である。また、最初に押されたボリュームキーをＤｏｗｎキーに割り当てるか、Ｕｐキーに割り当てるかは、ユーザの設定により変更可能とするようにしてもよい。
【００３３】
また、ボリュームキー３５、３６が押されて受話音量調整モードに移行しＬＣＤ表示部２２にボリュームレベルが表示された場合に、図４に示すように、ＬＣＤ表示部２２の画面下の左右に“Ｕｐ”表示５１および“Ｄｏｗｎ”表示５２を出すことにより、２つのボリュームキー３５、３６のうちのいずれがＵＰキーに設定され、いずれがＤｏｗｎキーに設定されているかという配置方向が表示され、目視による確認も可能となりより操作性が向上する。
【００３４】
また、上記で説明した本実施形態の携帯電話機では、受話音量調整のためのボリュームキーに対して本願発明を適用した場合を用いて説明したが、本発明はこれに限定されるものではなく、着信音量調整、バイブレータ強度調整、送話音量調整、液晶濃度調整、液晶表示バックライト光量調整等のＵｐ／Ｄｏｗｎにより調整する操作キーに対しても同様に適用することができるものである。
【図面の簡単な説明】
【００３５】
【図１】本発明の一実施形態の携帯電話機を左方向から見た場合の斜視図（図１（ａ））および右方向から見た斜視図（図１（ｂ））である。
【図２】図１の携帯電話機の動作を示すフローチャートである。
【図３】受話音量調整モードとなった場合のＬＣＤ表示部２２の表示例を示す図である。
【図４】ＬＣＤ表示部２２の画面下の左右に“Ｕｐ”表示５１および“Ｄｏｗｎ”表示５２を表示した場合の例を示す図である。
【図５】携帯電話機の構成を示す簡易ブロック図である。
【図６】従来の携帯電話機の斜視図である。
【符号の説明】
【００３６】
１１    無線回路
１２    チャネルコーデック
１３    音声回路
１４    制御回路
１５    メモリ回路
１６    表示回路
１７    キーマトリクス
１８    マイク
１９    レシーバ
２０    スピーカ
２２    ＬＣＤ表示部
２３    テンキー
２５    Ｕｐキー
２６    Ｄｏｗｎキー
３５、３６    ボリュームキー
４１〜４９    ステップ
５１    “Ｕｐ”表示
５２    “Ｄｏｗｎ”表示
【図１】
2005027255.tif 000003
【図２】
2005027255.tif 000004
【図３】
2005027255.tif 000005
【図４】
2005027255.tif 000006
【図５】
2005027255.tif 000007
【図６】
2005027255.tif 000008